(57)【要約】本発明は、アーティストをプロデュースし商業化するために投資する前に市場の需要を判定するための方法およびシステムを提供する。アーティストに対する市場の需要を判定するための方法およびシステムは、ユーザ入力を受信して、アーティスト群からどのアーティストを選択するかを決定する段階；選択されたアーティストのための資金に寄付するユーザに基づいて、該アーティストに対する市場の需要を判定する段階；および所定のレベルの寄付をユーザから得た、選択されたアーティストをプロデュースする段階とを含む。
2004534313.tif 000002
【特許請求の範囲】
【請求項１】
アーティストに対する市場の需要を判定するための、コンピュータによって実施される方法であって、以下の段階を含む方法：
ユーザ入力を受信し、アーティスト群からどのアーティストを選択するかを決定する段階；
選択されたアーティストのための資金に寄付するユーザに基づいて、該アーティストに対する市場の需要を判定する段階；
所定のレベルの寄付をユーザから得たアーティストを特定する段階。
【請求項２】
ユーザ入力がユーザの投票形式である、請求項1記載の方法。
【請求項３】
所定のレベルの寄付をユーザから得たアーティストに寄付したユーザに、該アーティストに関する認定証を与える段階をさらに含む、請求項1記載の方法。
【請求項４】
所定のレベルの寄付をユーザから得た各アーティストが、該アーティストをプロデュースし商業化するために、該アーティストに対するユーザの寄付による資金を利用可能にする段階をさらに含む、請求項1記載の方法。
【請求項５】
アーティストがミュージシャンである場合、上記資金を利用して、該資金からレコードを製作する段階を含む、請求項4記載の方法。
【請求項６】
所定の基準を完全に満たしたことに基づいて、アーティストに全資金を与える段階をさらに含む、請求項5記載の方法。
【請求項７】
ユーザについての情報を維持し、該情報を用いてアーティストを売り出す段階をさらに含む、請求項1記載の方法。
【請求項８】
アーティストに寄付できるユーザの数を所定の数に制限する段階を含む、請求項1記載の方法。
【請求項９】
アーティストに対する市場の需要を判定する装置であって、以下を含む装置：
ユーザ入力を受信し、アーティスト群からどのアーティストを選択するかを決定する手段；
選択されたアーティストのための資金に寄付するユーザに基づいて、該アーティストに対する市場の需要を判定する手段；および
所定のレベルの寄付をユーザから得た、選択されたアーティストを特定する手段。
【請求項１０】
アーティストが資金援助を得る方法であって、以下の段階を含む方法：
アーティストの作品見本を受け取りファイルサーバ上に格納する段階；
アーティスト群由来の、該アーティストの上記格納された作品を評価する段階；
ユーザから寄付金を受ける資格のあるアーティストを、該アーティストの作品に基づいて選択する段階；および
所定の基準を満たすアーティストへの全寄付からなる資金を確立する段階。
【請求項１１】
アーティストが音楽レコードを製作するために資金を利用可能にする段階をさらに含む、請求項10記載の方法。
【請求項１２】
アーティストが所定の基準を満たしたことに基づいて、アーティストに資金を譲渡する段階をさらに含む、請求項10記載の方法。
【請求項１３】
選択されたアーティストが所定の基準を満たさなかった場合、該アーティストをアーティスト群に戻す段階をさらに含む、請求項10記載の方法。
【請求項１４】
資金援助を受ける資格を持つアーティストの選択が、ユーザ得票数が最大のアーティストに基づく、請求項10記載の方法。
【請求項１５】
資金援助を受ける資格を持つアーティストの選択が、個人からなる審査員団によって決定される、請求項10記載の方法。
【請求項１６】
資金援助を受ける資格を持つアーティストの選択が、個人からなる審査員団によって部分的に決定され、かつユーザの投票によって部分的に決定される、請求項10記載の方法。
【請求項１７】
アーティストに対する市場の需要を判定するための、コンピュータによって実施されるシステムであって、ファイルサーバおよび、以下の命令を実施するようにプログラムされたプロセッサを含むシステム：
ユーザ入力を受信して該ファイルサーバに格納し、アーティスト群からどのアーティストを選択するかを決定するための命令；
選択されたアーティストのための資金に寄付するユーザに基づいて、該アーティストに対する市場の需要を判定するための命令；および
所定のレベルの寄付をユーザから得たアーティストを特定するための命令。
【請求項１８】
アーティストが所定のレベルのユーザ支援を得られなかった場合に、資金中のユーザからの寄付金を払い戻すための命令をさらに含む、請求項17記載のシステム。
【請求項１９】
アーティストが所定のレベルの寄付をユーザから得られなかった場合に、ユーザからの寄付金を異なる資金に再分配するための命令をさらに含む、請求項17記載のシステム。
【請求項２０】
個人からなる審査員団からの入力を用いてアーティスト群からアーティストを選択するための命令をさらに含む、請求項17記載のシステム。
【請求項２１】
アーティスト群から選択できる、資金援助を受けるアーティストの数が事前に定められている、請求項17記載のシステム。
【請求項２２】
アーティストを提示してアーティストに対する市場の需要を判定するための、コンピュータによって実施されるシステムであって、以下の段階を含む方法を実施するための命令を有するようにプログラムされたコンピュータを含むシステム：
アーティストの作品を受け取ってファイルサーバ上に格納する段階；
格納されている受け取った作品をカテゴリ分けする段階；
各カテゴリから作品を選択する段階；
選択された作品を、ユーザから資金援助を受ける資格のある地位に引き上げる段階；および
所定の金額の寄付を受けたアーティストをプロモーションする段階。
【請求項２３】
ユーザから寄付を受けることが可能な地位の数を制限するための命令を含む、請求項22記載のシステム。
【請求項２４】
コンピュータシステムに、
ユーザ入力を受信させて、アーティスト群からどのアーティストを選択するかを決定させるため、
選択されたアーティストのための資金に寄付するユーザに基づいて、該アーティストに対する市場の需要を判定させるため、および
所定のレベルの寄付をユーザから得たアーティストを特定させるため
の、コンピュータによって実行可能な命令を記憶した、コンピュータ読取り可能な媒体を含む製品。
【請求項２５】
ユーザが、ネットワーク接続を通じてアーティストを選択して寄付する、請求項24記載の製品。
【請求項２６】
アーティストに対する市場の需要を判定するための、コンピュータによって実施される装置であって、以下を含む装置：
アーティストの作品を受け取り格納する手段；
ユーザが、格納されている作品にアクセスできるようにする手段；
ユーザ入力を受信して、アーティストの地位を一般アーティスト群から引き上げる手段；
地位を引き上げられたアーティストに、ユーザからの寄付を受ける資格を与える手段；
所定の基準を満たしたアーティストが、ユーザからの寄付を利用可能にする手段。
【発明の詳細な説明】
【技術分野】
【０００１】
発明の背景
発明の分野
本発明は、概して、アーティストをプロデュースし商業化するための方法およびシステムに関し、特に、どのアーティストをプロモーションし商業化するかを判定する、消費者に基づく方法およびシステムに関する。
【背景技術】
【０００２】
関連技術の説明
アーティストをプロモーションし育成するための現在のモデルは、トップダウン構造に基づいている。現在のモデルでは、数人の個人、通常はメディア大会社の重役が、プロモーションし商業化する新人アーティストを決定している。これらの個人の選択に基づいて、一つの会社がアーティストの作品をプロモーションする。一旦プロモーションしたら、その会社はその作品を一般消費者に売り出すために投資を行う。
【０００３】
既存のモデルは、作品が販売されて必ずその作品に対する市場が生じる前に多額の投資がなされるため、金銭的なリスクを伴うという欠点を有する。さらに、アーティストがプロモーションされてアーティストを商業化する試みがなされた後でさえ、その特定のアーティストに対する市場が常に存在するという保証はない。投資が行われる前に、そのアーティストに対する市場を見出す方法が必要である。
【発明の開示】
【０００４】
発明の概要
本発明は、アーティストをプロモーションし商業化するために金が少しでも費やされる前に市場の需要を判定するための方法およびシステムを提供する。本発明におけるアーティストには、音楽グループ、ミュージシャン、コメディアン、スポーツ選手、映画製作者、作家、ディレクター、画家、写真家などが含まれるが、それらに限定されない。あるアーティストに対する市場が存在すると判定されたら、そのアーティストをプロモーションし商業化するための投資の見通しのリスクはずっと低くなる。本発明は、消費者およびアーティストを共通の市場に集めることを可能にする方法およびシステムを提供する。本発明のシステムおよび方法においては、消費者はアーティストの提供作品を検討し、最も気に入ったアーティストを選択する。消費者はまた、本発明の方法およびシステムによって管理される口座を通じて、アーティストの利益となる一定額の金を寄付することによって、アーティストの育成および最終的には商業化を支援することもできる。アーティストが消費者から所定のレベルの資金援助を得たら、消費者の資金を利用して、アーティストをプロデュースし商業化することができるようになる。
【０００５】
本発明の方法およびシステムはまた、アーティストがその作品をより効率的に配給できるように情報を集計するシステムも提供する。
【０００６】
以下、全体を通して、同一の参照符号は、対応する部分を表す各図面を参照する。
【０００７】
詳細な説明
好ましい態様についての以下の説明では、本発明の一部を形成し、本発明を実施できる特定の態様が一例として示されている、添付の図面を参照する。他の態様を利用することができ、かつ本発明の範囲から逸脱せずに構造を変更できることを理解されたい。
【０００８】
概要
本発明は、アーティストの作品をプロデュースし商業化するのに金が費やされる前に、そのアーティストの作品に対する市場の需要を判定するための方法およびシステムを提供する。本発明の方法およびシステムにより、消費者は、自分が選択したアーティストの育成および商業化に対して金銭的寄付ができる。
【０００９】
本発明の好ましい一態様では、アーティストは、本発明の方法およびシステムを実施する管理者に自分の作品の見本を提示できる。図1Aは、アーティストが、米国郵便庁、DHL、およびフェデラル・エクスプレスを含む郵便制度2、宅配便（hand courier）3、ならびに/またはインターネット10のような多数の機構を通じて受取り機関に自分の作品の見本を提示するための方法を示している。消費者またはファンは、アーティストの提供作品を検討して、特定のアーティストの育成および商業化に対して金銭的寄付をすることができる。図1Bは、消費者が受取り機関1によって維持されているアーティストの提供作品を知って検討することのできる様々な方法を示している。これらの方法には、電話4、インターネット10、ダイレクトメール6、および/または小売店7が含まれる。
【００１０】
本発明の他の好ましい態様は、コンピュータによって実施される「BoomBacker（商標）システム」であり、ここでは、アーティストがデモテープまたは自分の作品のその他見本をBoomBackerに提示できる。消費者またはファンは、アーティストの提供作品を検討して、特定のアーティストの育成および商業化に対して金銭的寄付をすることもできる。寄付は、BoomBackerによって管理される。アーティストが所定のレベルの資金援助を受け取ったら、アルバムのレコーディング、ツアー、商品化、販売促進、および/またはアーティストの将来に対する金銭的な保証を含むが、それらに限定されるわけではない、アーティストの商業化のために、その資金を用いることができる。所定のレベルの資金援助を得たまたは「BoomBack（商標）された（BoomBacked）」アーティストに寄付するファンについては、上記BoomBackされたアーティストに関連するある種の会員特典をもつ資格を得る。特典には、そのアーティストに関連する商品の値引き、ツアー日程の事前告知、コンサートチケットおよび音楽作品の値引き、そのアーティストに関する特典情報、ならびにアーティストの私生活および生涯に焦点を当てた「リアリティ」ビデオおよびフィルムの入手、特別の会合においてアーティストと直接会って会話する機会などが含まれるが、それらに限定されるわけではない。しかし、ファンによって選択されたアーティストがBoomBackされなかった場合、ファンの寄付金は払い戻されてもよく、または他のアーティストに移されてもよい。または、ファンは、資金をBoomBackerシステムにおける非アーティスト口座に所定の期間維持することを選択することができる。
【００１１】
ハードウェア
図2は、たとえばWebブラウザを実行するクライアントコンピュータ12を、本発明を実現するコンピュータプログラムを実行するサーバコンピュータ14に、インターネット10を用いて接続する典型的な分散型コンピュータシステムを示している。典型的な組合せのリソースにはクライアントコンピュータ12が含まれうるが、これは、パーソナルコンピュータ、ワークステーション、ミニコンピュータ、またはメーンフレームであるサーバコンピュータ14にインターネット10上で接続された、パーソナルコンピュータまたはワークステーションである。
【００１２】
一般に、クライアントコンピュータ12とサーバコンピュータ14はどちらも、1つまたは複数のCPU、コンピュータプログラムおよびその他のデータを記憶する様々な量のRAM20、ならびにコンピュータに通常見られるその他の構成要素とで構成されている。さらに、クライアントコンピュータ12とサーバコンピュータ14はどちらも、1つまたは複数のモニタ、ならびに、ハードディスクドライブ、フロッピーディスクドライブ、および/またはCD-ROMもしくはその他の光学ドライブなどの固定型または取外し可能型のデータ記憶装置20とを含んでよい。さらに、マウス・ポインティング・デバイスおよびキーボードなどの入力装置も含んでよい。
【００１３】
クライアントコンピュータ12とサーバコンピュータ14はどちらも、Windows（登録商標）、Macintosh（登録商標）、UNIX、Linuxなどのオペレーティングシステムの制御下で動作する。さらに、クライアントコンピュータ12とサーバコンピュータ14はどちらも、そのそれぞれのオペレーティングシステムの制御下で1つまたは複数のコンピュータプログラム18をそれぞれ実行することができる。本発明は好ましくは、サーバコンピュータ14によって実行される、1つまたは複数のコンピュータプログラム18でイネーブルされる。しかし、他の態様では、これらのコンピュータプログラム18はクライアントコンピュータ12上で実行することができる。
【００１４】
一般に、本発明を実施するコンピュータプログラム18は、コンピュータ読取り可能な媒体中で、たとえば、コンピュータに取り付けられた1つまたは複数の固定型および/または取外し可能型のデータ記憶装置20中で、具体的に実現される。コンピュータプログラム18は、オペレーティングシステムの制御下で、データ記憶装置20からコンピュータのRAMにロードされ、その後CPU16によって実行されうる。コンピュータプログラム18は、コンピュータによって読み取られ実行された際に、本発明の各段階または要素を実行するのに必要な各段階をコンピュータに実行させるための命令を含んでいる。
【００１５】
当業者には、図2に示されている例示的な環境が本発明の制限を意図したものではないことが認識されよう。そればかりでなく、当業者には、本発明の範囲から逸脱することなく他の代替的なハードウェア環境を使用できることが認識されよう。
【００１６】
アーティスト・プロセスの論理
図3を参照すると、アーティストは、200で、一般消費者の評価対象となる自分の作品を提示する。本発明の好ましい一態様では、次に、消費者は、電話、郵便制度、小売店、および/またはインターネットもしくはその他のネットワーク装置を含むが、それらに限定されるわけではない様々な機構を通じてアーティストの作品見本を得ることができる。
【００１７】
本発明の他の態様によれば、次に、205で、URLもしくは仮想ネットワークまたはその他のネットワークコンピュータもしくはサーバを通じて作品を入手可能となる。URLまたはサーバにアクセスした消費者は、アーティストから提示された作品を検討し、次に210で、自分の好きなアーティストに投票することによって作品を評価する。所定の数の、得票数が最も多いアーティストは、215において消費者から経済的支援を受ける資格を得る。（または、アーティストによっては、専門家からなる審査員団またはシステム管理者の決定に基づいて、プロモーションされることができる。）資格を得たこれらのアーティストが、220において所定の数の経済的支援者を得たら（各支援者は所定の金額を寄付する）、225で、消費者の寄付を含む資金からシステム管理者に支払われる手数料を引いた額を、アーティストのために利用することができる。次に230で、資金をアーティストのために使用して、235でこのアーティストをプロデュースし商業化することができる。資金を用いて製造された製品の販売による収益は全て、240で資金に戻されうる。一態様では、所定の期間の後、およびアーティストが所定の一連の要件を満たした場合、アーティストは資金を引き出して、自分が好きなように使用することができる。寄付を受ける資格のあるアーティストが、所定の期間内に資金要件を満たせなかった場合、そのアーティストは、245で、一般アーティスト群に戻される。
【００１８】
当業者には、上記の方法およびシステムが無線ネットワークまたはその他のファイル共有アーキテクチャに適用されることが自明であろう。または、最も得票数の多い所定の数のアーティストだけではなく、全アーティストが、消費者からの資金援助を受ける資格を持つように、本発明を改変することができる。他の態様によれば、上述のように、消費者からの資金援助を受ける資格のある所定の数のアーティストは、個人からなる審査員団またはシステム管理者によって選択され、残りの地位は、消費者からの投票によって決定される。
【００１９】
本発明はまた、特定のアーティストを支援する消費者に関する人口統計データおよびその他のデータの集計を提供することもでき、これにより、そのアーティストおよび/または管理会社が財源をより効率的に割り当て、かつその商品をより効率的に配給できるようになる。このような情報には、消費者の住所、平均収入、年齢、性別、および/または教育到達レベルに関する情報が含まれるが、それらに限定されない。この情報は、アーティストまたは会社が直接売買できる消費者データベースを提供する。
【００２０】
消費者プロセスの論理
図4を参照すると、消費者は、300で、電話、小売店のオーディオディスプレイ、ダイレクトメール、および/またはインターネットもしくはその他のネットワーク装置を含むが、それらに限定されるわけではない様々な機構を通じて、アーティストの作品を検討する。図示された態様では、消費者および/または他の団体は、アーティストの作品を検討した後、自分が好きなアーティストを決定し、それに応じて305で作品に投票する。特に、得票数の最も多かったアーティスト支援群について、消費者は、310で、この群の中のアーティストに寄付して支援するかどうかを決定する。消費者が支援群の中のある特定のアーティストに寄付して支援することを決定し、かつそのアーティストが315で所定の資金援助レベルを満たしている場合、消費者は320で、そのアーティストに関する認定証を受け取る。本発明の他の態様によれば、1組のアーティストには所定の数の消費者しか寄付できないので、アーティストの認定証は、消費者にとって実際に価値あるものとなる。しかし、アーティストがこの所定の援助レベルを得られない場合、消費者は、325で自分の寄付金を払い戻しする権利を得、または330で、寄付金を再分配する機会を与えられ、335で別のアーティストに寄付する。消費者が、340で払い戻しを得ることも、345で別のアーティストに寄付することも決定しなかった場合、この金をシステム上で、一定期間にわたって分配せずにおくことを345で選択することができる。
【００２１】
本発明の一態様によれば、最も得票数の多い所定の数のアーティストは、消費者から資金援助を受ける資格を得る。他の態様によれば、所定の数の地位が確立され、この地位のアーティストは消費者から寄付金を与えられる資格を得る。この地位は、資格のあるアーティストによって占められ、これらアーティストは、所定のレベルの寄付金を消費者から受けるか、または所定の期間が経過するまでこの地位に留まり続ける。したがって、後から資格を得た他のアーティストは、消費者からの寄付を受ける資格のあるこの地位が空いたときにのみ次のレベルに進むことができる。
【００２２】
ミュージシャンとしてのアーティストの態様
図5を参照すると、本発明の特定の一態様では、ミュージシャンまたはミュージカルアクトは、400で、デモを電子的にURLに送信するかまたは米国郵便庁のような他の提示方法を用いることによって、自分の音楽のデモをBoomBackerに提示する。デモの提示後に、アーティストは、405でオプション契約に署名するが、これは、指標となるある出来事が起こった場合にはアーティストがBoomBackerとのレコーディング契約に署名することを義務づけるものである。オプション契約に署名されると、410で、レコード会社の制作部と同様の審査員団または他のシステム管理者によってデモが検討される。デモが検討されたら、その後は2つの経路が可能である。一方の経路では、415で、制作部と同様の審査員団または他のシステム管理者によってデモが選択され、ファンの寄付を受ける資格がただちに与えられる。（これは、「BoomBackされる」機会として既知である。）もう一方の経路では、デモが、420で一般アーティスト群内に配置され、ファンはこの群を検討し、425で投票することができる。この一般群内のアーティストが所定の数の投票を得た場合、そのアーティストは支援群に選ばれることが可能になり、435で、ファンから寄付を受ける。制作部による選択またはファン投票のいずれかによって資格を得たアーティストが、所定の数の支援ファンを得たら、このアーティストは440で、BoomBackerとの契約に署名する資格を得る（すなわち、BoomBackerがそのオプションを行使する）。契約への署名後、445で、ファンから寄付された資金は、そのアーティストのための資金または口座に移される。しかし、ファンから資金を受ける資格を有するアーティストが、450で、所定の数の支援ファンを所定の期間内に得られなかった場合、そのアーティストは一般アーティスト群に送り返される（ファンの支援は「ゼロ」にリセットされる）。
【００２３】
本発明の他の態様によれば、アーティストは、デモを提示した後から、ファンがこのアーティストを検討して投票する前までに、BoomBackerとの契約に署名する資格を得ることができ、したがってBoomBacker資金を受ける資格を得ることができる。
【００２４】
アーティストのための資金が確立された後、この資金は制限付きでアーティストのために用いることができ、すなわち、これらに限定されるわけではないが、455でのアルバムのレコーディング、アルバムの商品化、販売促進、配給、および/または460でのアルバムのためのツアーをアーティストが行うのに用いることができる。本発明の一態様によれば、ファンからの寄付によって確立された資金には、資金の価値に基づいて手数料が発生する。手数料とは、アーティストとファンを引き合わせるサービス料を表す。アルバム売上からの収益は、465で資金として再投資することができる。アーティストは、470で契約上の義務を果たした後、475で、委託されていた（in the trust）すべての資金を受け取ることができる。本発明の一態様によれば、前述の契約上の義務には、480で他のアルバムを完成させることが含まれる。本発明の他の態様によれば、アーティストとBoomBackerは、初期契約期間の終了後、485でその後の契約に再署名することができる。
【００２５】
ファンとしての消費者の態様
本発明の他の局面である図6を参照すると、ファンは、URLまたは他のネットワーク装置を通じてウェブサイトにアクセスする。本発明の一態様によれば、500におけるURLはBoomBacker.comである。他の態様によれば、ファンは、505におけるダイレクトメール、もしくは510におけるその他の直接販売、および/または小売店でのオーディオディスプレイのような従来の手段を通じて、アーティストを知ることができる。本発明のURL態様によれば、ファンは、ウェブサイトにアクセスして、515で各アーティストを検討する。アーティストは種類またはジャンルタイプに分類されうる。各種類またはジャンル内で、アーティストはリストまたはランクに細分されうり、ここでは、最もファン得票数の多いアーティストが最上位に、最も得票数の少ないアーティストが最下位に位置する。本発明の一態様によれば、すべての群から選択された上位10組のアーティストは、BoomBackされる資格を得る、すなわち、ファンから寄付を受ける資格を得る。または、すべての群から選択された上位10組のアーティストは、所定の数の資格ある地位がすでに資格あるアーティストによって占められていない場合にのみ、ファンから寄付を受ける資格を得る。
【００２６】
ファンは、検討可能なアーティスト群からあるアーティストに投票し、このような寄付を受ける資格のあるアーティストに所定の金額の金を525で寄付することを、520で決定することもできる。ファンが寄付を行うことに決定したアーティストが、530で所定の数のファンまたは所定のレベルの資金援助を得た場合、ファンは535で、そのアーティストに関する認定証を得る。本発明の一態様によれば、認定証はファンにある種の特典を授与する。特典には、そのアーティストに関連する商品の値引き、ツアー日程の事前告知、コンサートチケットおよび音楽作品の値引き、そのアーティストに関する特典情報、ならびにアーティストの私生活および生涯に焦点を当てた「リアリティ」ビデオおよびフィルムの入手、特別の会合においてアーティストと直接会って会話する機会が含まれるが、それらに限定されるわけではない。本発明の他の態様の下では、アーティスト一組に寄付できるファンの数は、各ファンがアーティストに寄付できる金額に基づいて、所定の数に制限される。寄付を行うファンの数を制限することによって、ファンに授与された認定証は、アーティストがBoomBackされた後、540で会員権を他のファンに売るか、または他のファンの持つ一つもしくは複数の他のアーティストの認定証と交換することによって、実現可能な価値を有する。または、ファンは、545で認定証を維持することができる。
【００２７】
または、ファンが寄付したアーティストが、所定の数の支援ファンまたは資金援助を550で得られなかった場合、そのファンは、555で自分の金を払い戻すこと、560で他の資格あるアーティストに移すこと、または565で、システムによって維持されている非アーティスト資金に所定の期間にわたって金を預けることを選択できる。
【００２８】
図7を参照すると、BoomBackerシステム上で自分の音楽を実演するアーティストの団体は一般に5つのレベルに分類され、各レベルが、アーティストがBoomBackされるまでの進行における様々な段階を表す。600におけるレベル5は、最低レベルであり、自分たちの音楽デモを提示したばかりのアーティストが属する。本発明の一態様によれば、このレベルにおいて、アーティストは、個人からなる審査員団またはシステム管理者によってスクリーニングされ、デモを次のレベルに進めるかどうかが判定される。605におけるレベル4では、音楽デモがウェブサイト上に提示される、または、その他の方法でファンによって検討可能にされる。音楽デモを表示する機構には、電話、テレビ番組、小売店のオーディオディスプレイ、直接販売、郵便制度、および/またはインターネットもしくはその他のネットワーク装置が含まれるが、それらに限定されるわけではない。この段階ではまた、ファンが、自分が好きなアーティストに投票し、それによって、レベル3に進むアーティストが選択される。610におけるレベル3は、そのジャンルにおいて最大のファン得票数を得た（あるいは「審査員団」または管理者によって引き上げられた）（ここでは10組の）アーティストからなる。615におけるレベル2は、ファンから寄付を受ける資格を持つアーティストを表している。本発明の一態様によれば、615におけるレベル2のアーティストとは、そのジャンルにおいて最大の得票数を受けたアーティストを表している。初期立ち上げ期間の後、最大の得票数を有するレベル3のアーティストによってレベル2の空きが埋められる。本発明の他の態様によれば、615において、所定の数のレベル2アーティストは、制作部と同様の審査員団またはシステム管理者によって、下位レベルのうちのいずれか、好ましくはレベル4から選択され、また、残りの支援可能なレベル2の地位は、615において、最大のファン得票数を得たアーティストによって占められる。アーティストは、615でレベル2に達した後、資金を受ける資格を獲得するのに必要な支援を得るための所定の期間を有する。したがって、本発明の一態様によれば、615において、10万人の支援ファンを獲得するか、または6か月もしくは他の所定の時間が経過するか、どちらかが起こるまで、アーティストはレベル2に留まる。アーティストがBoomBackされるのに必要な支援を得られなかった場合、アーティストはレベル3に戻り、そのアーティストに関するプロセスは全面的に最初からやり直される。620におけるレベル1は、ファンから所定のレベルの寄付を得たアーティストを表す。本発明の一態様によれば、アーティストが10万人のファンからそれぞれ25ドル寄付してもらったときに、この所定のレベルに達する。620におけるレベル1では、アーティストが、自分の作品をBoomBackerに提示した際に署名したオプション合意に従って契約（たとえば、レコード契約）に署名し、BoomBackerによるすべてのサービスおよび恩典を受ける資格を得る。BoomBackerによるサービスおよび恩典には、医療保険、生命保険、利益分配、および/またはBoomBacker資金が含まれるが、それらに限定されるわけではない。恩典にはまた、アーティストの作品に対する資金援助と退職基金を含めてよく、どちらの場合も、金額はアーティストの成功度に依存する���
【００２９】
本発明の好ましい態様に関する上記の説明は、例示および説明のために提供されるものである。本説明は網羅的であることを意図しておらず、開示された厳密な形態に本発明を制限することを意図したものでもない。上記の教示に鑑みて、多数の修正および変形が可能である。本発明の範囲は、この詳細な説明によってではなく、添付の特許請求の範囲によって制限されるものである。
【図面の簡単な説明】
【００３０】
【図１】
図1Aは、アーティストの作品見本を入手する方法を示す図である。図1Bは、消費者がアーティストの作品見本を検討する方法を示す図である。
【図２】
本発明の好ましい態様の例示的なハードウェア環境のブロック図である。
【図３】
本発明のアーティスト・プロセスの論理を示すフローチャートである。
【図４】
本発明の消費者プロセスの論理を示すフローチャートである。
【図５】
アーティストがミュージシャンである場合の、本発明のアーティスト・プロセスの論理を示すフローチャートである。
【図６】
消費者がファンである場合の、本発明の消費者プロセスの論理を示すフローチャートである。
【図７】
プロモーションサイトにおける、アーティストの体系を示す図である。
【図１】
2004534313.tif 000003
【図２】
2004534313.tif 000004
【図３】
2004534313.tif 000005
【図４】
2004534313.tif 000006
【図５】
2004534313.tif 000007
【図６】
2004534313.tif 000008
【図７】
2004534313.tif 000009
【国際公開パンフレット】
2004534313.tif 000010
2004534313.tif 000011
2004534313.tif 000012
2004534313.tif 000013
2004534313.tif 000014
2004534313.tif 000015
2004534313.tif 000016
2004534313.tif 000017
2004534313.tif 000018
2004534313.tif 000019
2004534313.tif 000020
2004534313.tif 000021
2004534313.tif 000022
2004534313.tif 000023
2004534313.tif 000024
2004534313.tif 000025
2004534313.tif 000026
2004534313.tif 000027
2004534313.tif 000028
2004534313.tif 000029
2004534313.tif 000030
2004534313.tif 000031
2004534313.tif 000032
2004534313.tif 000033
2004534313.tif 000034
【国際公開パンフレット（コレクトバージョン）】
2004534313.tif 000035
2004534313.tif 000036
【国際調査報告】
2004534313.tif 000037
2004534313.tif 000038